(57)【要約】  起動時負荷の低減及び起動時間の短縮が可能な画像解析装置、解析機能決定方法、及び解析機能決定プログラムを提供する。  入力された画像データに対して予め設定された解析機能による解析を行う解析部と、外部から起動要求を受けた場合に、予め設定された解析機能による解析結果及び予め設定された条件に基づいて、複数の解析機能の中から起動対象となる解析機能を決定し、決定した解析機能を起動する制御を行う制御部とを備える。
2020105645.tif 000002
【特許請求の範囲】
【請求項１】
入力された画像データに対して予め設定された解析機能による解析を行う解析部と、
外部から起動要求を受けた場合に、前記予め設定された解析機能による解析結果及び予め設定された条件に基づいて、複数の解析機能の中から起動対象となる解析機能を決定し、決定した解析機能を起動する制御を行う制御部とを備える画像解析装置。
【請求項２】
前記制御部は、前記画像データ及び前記画像データのヘッダー情報の少なくとも一方に基づいて、前記予め設定された解析機能を設定する
請求項１に記載の画像解析装置。
【請求項３】
前記制御部は、起動対象として決定した解析機能をバックグラウンドで起動し、さらに外部から本起動要求を受けた場合にバックグラウンド起動済みの解析機能を本起動する
請求項１または２に記載の画像解析装置。
【請求項４】
前記制御部は、バックグラウンド起動済みの解析機能に対し、前記画像データの解析処理をバックグラウンドで行わせる
請求項３に記載の画像解析装置。
【請求項５】
外部からの本起動要求は解析機能の識別情報を含み、
前記制御部は、前記識別情報に基づいて本起動する解析機能を決定する
請求項３または４に記載の画像解析装置。
【請求項６】
前記予め設定された解析機能による解析結果を保存する保存部を備え、
前記制御部は、起動した解析機能の解析結果が前記保存部に保存されている場合、前記保存部に保存された解析結果を出力する
請求項１から５のいずれか１項に記載の画像解析装置。
【請求項７】
前記予め設定された条件は、学習により更新される
請求項１から６のいずれか１項に記載の画像解析装置。
【請求項８】
入力された画像データに対して予め設定された解析機能による解析を行い、
外部から起動要求を受けた場合に、前記予め設定された解析機能による解析結果及び予め設定された条件に基づいて、複数の解析機能の中から起動対象となる解析機能を決定し、決定した解析機能を起動する解析機能決定方法。
【請求項９】
入力された画像データに対して予め設定された解析機能による解析を行う手順と、
外部から起動要求を受けた場合に、前記予め設定された解析機能による解析結果及び予め設定された条件に基づいて、複数の解析機能の中から起動対象となる解析機能を決定し、決定した解析機能を起動する手順とをコンピュータに実行させる解析機能決定プログラム。
【発明の詳細な説明】
【技術分野】
【０００１】
本開示は、画像解析装置、解析機能決定方法、及び解析機能決定プログラムに関する。
【背景技術】
【０００２】
近年、Ｘ線撮影装置の他、ＣＴ（Computed Tomography）装置、超音波（ＵＳ）診断装置、ＭＲＩ（Magnetic Resonance Imaging）装置、ＰＥＴ（Positron Emission Tomography）装置、及びＳＰＥＣＴ（Single-Photon Emission Computed Tomography）装置等の医療機器の進歩によって、より質の高い高解像度の３次元の医用画像を用いての画像診断が可能となってきている。特に、３次元の医用画像を用いた画像診断により、病変の領域を精度よく特定することができるため、特定した結果に基づいて適切な治療が行われるようになってきている。また、上記３次元の医用画像に対して、様々な解析アプリケーションによる解析を行うことにより、医用画像に含まれる病変等の領域、位置及び体積等を抽出し、これらを解析結果として取得することも行われている。このように、解析処理により生成される解析結果は、患者名、性別、年齢及び医用画像を取得したモダリティ等の検査情報と対応づけられて、データベースに保存されて、診断に供される。【０００３】
一方、近年の画像診断システムは、医用画像を読影するための読影端末と、医用画像に対して詳細解析を行う画像解析装置とに大別できる。多くの場合は、読影医及び医師等のユーザが読影端末により疾患の有無を確認し、見つかった疾患に対して画像解析装置により詳細な解析を行うことにより、より正確な診断のための情報を収集する。なお、画像解析装置が読影端末と同様の読影機能を備えている場合には、画像解析装置を単独で運用することも可能である。このような画像解析装置として、例えば特開２００９−２６８５８９号公報、特開２０１５−１５９８６１号公報、特開２００７−１４４１５１号公報の画像解析装置が提案されている。
【発明の概要】
【発明が解決しようとする課題】
【０００４】
画像解析装置を読影端末のような他の装置から起動しようとする場合、他の装置上で実装されたユーザーインターフェースを起点として、画像解析装置が起動する。これにより、ワークフローが途絶えることなく画像解析装置を起動できるため、読影医は効率的に読影を行うことができる。【０００５】
一方、１つの検査で行う解析機能は増加傾向にある。例えば、頭部ＣＴを撮影した場合は、脳血管抽出、歯科解析、パフュージョン等の解析を行うことができる。また、心臓ＣＴを撮影した場合は、冠動脈解析、心機能解析、石灰化スコア、アブレーション解析等を行うことができる。近年、幅広い解析方法が生み出されていること、また術前シミュレーション機能が普及してきていることから、今後画像解析装置の解析機能が増加する可能性は高い。このような状況において、画像解析装置を起動する場合、多数の解析機能を起動することになるため、起動時の負荷が大きくなるとともに、起動時間が長くなるおそれがある。【０００６】
特開２００９−２６８５８９号公報、特開２０１５−１５９８６１号公報、特開２００７−１４４１５１号公報では、検査情報または画像付帯情報に基づいて検査に関係する解析機能を決定し、決定した解析機能を起動することが開示されている。例えば、心臓ＣＴを撮影した場合は、冠動脈解析、心機能解析、石灰化スコア、アブレーション解析等、心臓検査に関係する解析機能のみが起動されることになる。【０００７】
しかしながら、読影医は、検査に関係する全ての解析機能を使用するわけではなく、患者の病状に応じて必要な解析機能は限られるため、使用しない解析機能の起動により、不必要な起動時負荷及び起動時間を生じてしまっている。【０００８】
本開示は、上記事情に鑑みなされたものであり、起動時負荷の低減及び起動時間の短縮が可能な画像解析装置、解析機能決定方法、及び解析機能決定プログラムを提供することを目的とするものである。
【課題を解決するための手段】
【０００９】
本開示による画像解析装置は、入力された画像データに対して予め設定された解析機能による解析を行う解析部と、外部から起動要求を受けた場合に、予め設定された解析機能による解析結果及び予め設定された条件に基づいて、複数の解析機能の中から起動対象となる解析機能を決定し、決定した解析機能を起動する制御を行う制御部とを備える。【００１０】
本開示による画像解析装置において、制御部は、画像データ及び画像データのヘッダー情報の少なくとも一方に基づいて、予め設定された解析機能を設定してもよい。【００１１】
また、制御部は、起動対象として決定した解析機能をバックグラウンドで起動し、さらに外部から本起動要求を受けた場合にバックグラウンド起動済みの解析機能を本起動してもよい。【００１２】
また、制御部は、バックグラウンド起動済みの解析機能に対し、画像データの解析処理をバックグラウンドで行わせてもよい。【００１３】
また、外部からの本起動要求は解析機能の識別情報を含み、制御部は、識別情報に基づいて本起動する解析機能を決定してもよい。【００１４】
また、予め設定された解析機能による解析結果を保存する保存部を備え、制御部は、起動した解析機能の解析結果が保存部に保存されている場合、保存部に保存された解析結果を出力してもよい。【００１５】
また、予め設定された条件は、学習により更新されてもよい。【００１６】
本開示による解析機能決定方法は、入力された画像データに対して予め設定された解析機能による解析を行い、外部から起動要求を受けた場合に、予め設定された解析機能による解析結果及び予め設定された条件に基づいて、複数の解析機能の中から起動対象となる解析機能を決定し、決定した解析機能を起動する。【００１７】
本開示による解析機能決定プログラムは、入力された画像データに対して予め設定された解析機能による解析を行う手順と、外部から起動要求を受けた場合に、予め設定された解析機能による解析結果及び予め設定された条件に基づいて、複数の解析機能の中から起動対象となる解析機能を決定し、決定した解析機能を起動する手順とをコンピュータに実行させる。
【発明の効果】
【００１８】
本開示によれば、起動時負荷の低減及び起動時間の短縮が可能な画像解析装置、解析機能決定方法、及び解析機能決定プログラムを提供することができる。
【図面の簡単な説明】
【００１９】
【図１】本開示の実施形態による画像解析装置を適用した画像診断システムの概略構成を示す図
【図２】本開示の一実施形態による画像解析装置の概略構成を示す図
【図３】第１の実施形態において行われる処理を示すフローチャート
【図４】読影ワークステーションにおける画像表示例を示す図
【図５】読影ワークステーションにおける画像表示例を示す図
【図６】読影ワークステーションにおける画像表示例を示す図
【発明を実施するための形態】
【００２０】
以下、図面を参照して本開示の実施形態について説明する。図１は本開示の一実施形態による画像解析装置を適用した画像診断システムの概略構成を示す図である。図１に示す画像診断システム１は、公知のオーダリングシステムを用いた診療科の医師からの検査オーダーに基づいて、被写体の検査対象部位の撮影、撮影により取得された医用画像の保管、及び読影医による医用画像の読影等を行うためのシステムである。
【００２１】
図１に示すように、画像診断システム１は、複数のモダリティ（撮影装置）２、読影端末である複数の読影ワークステーション（ＷＳ）３、画像サーバ４、画像データベース５、及び本実施形態による画像解析装置である画像解析ワークステーション（ＷＳ）１０が、ネットワーク６を介して互いに通信可能な状態で接続されて構成されている。
【００２２】
各機器は、画像診断システム１の構成要素として機能させるためのアプリケーションプログラムがインストールされたコンピュータである。アプリケーションプログラムは、ＤＶＤ（Digital Versatile Disc）あるいはＣＤ−ＲＯＭ（Compact Disc Read Only Memory）等の記録媒体に記録されて配布され、その記録媒体からコンピュータにインストールされる。または、ネットワークに接続されたサーバコンピュータの記憶装置、もしくはネットワークストレージに、外部からアクセス可能な状態で記憶され、要求に応じてコンピュータにダウンロードされ、インストールされる。
【００２３】
モダリティ２は、被写体の診断対象となる部位を撮影することにより、診断対象部位を表す医用画像を生成する装置である。具体的には、ＣＴ装置、ＭＲＩ装置、及びＰＥＴ装置等である。モダリティ２により生成された医用画像は、画像サーバ４に送信され、保存される。
【００２４】
読影ＷＳ３は、医用画像の読影医が、医用画像の読影に使用するコンピュータであり、処理装置、高精細ディスプレイ、並びにキーボード及びマウス等の入力装置により構成される。読影ＷＳ３では、画像サーバ４に対する医用画像の閲覧要求、画像サーバ４から受信した医用画像に対する各種画像処理、医用画像の表示、画像解析ＷＳ１０に対する医用画像転送処理、画像解析ＷＳ１０に対する画像解析依頼、及び画像解析結果の表示等の各処理が、各処理のためのソフトウェアプログラムを実行することにより行われる。
【００２５】
画像サーバ４は、汎用の比較的処理能力の高いコンピュータにデータベース管理システム（DataBase Management System: DBMS）の機能を提供するソフトウェアプログラムがインストールされたものである。また、画像サーバ４は画像データベース５が構成される大容量ストレージを備えている。このストレージは、画像サーバ４とデータバスによって接続された大容量のハードディスク装置であってもよいし、ネットワーク６に接続されているＮＡＳ（Network Attached Storage）及びＳＡＮ（Storage Area Network）に接続されたディスク装置であってもよい。また、画像サーバ４は、モダリティ２からの医用画像の登録要求を受け付けると、その医用画像をデータベース用のフォーマットに整えて画像データベース５に登録する。
【００２６】
画像データベース５には、モダリティ２において取得された医用画像の画像データと付帯情報とが、ＤＩＣＯＭ（Digital Imaging and COmmunications in Medicine）形式に基づいて登録される。付帯情報には、例えば、個々の医用画像を識別するための画像ＩＤ、被写体を識別するための患者ＩＤ(identification)、検査を識別するための検査ＩＤ、医用画像毎に割り振られるユニークなＩＤ（ＵＩＤ：unique identification）、その医用画像が生成された検査日、検査時刻、その医用画像を取得するための検査で使用されたモダリティの種類、患者氏名、年齢、性別等の患者情報、検査部位（撮影部位）、撮影情報（撮影プロトコル、撮影シーケンス、撮像手法、撮影条件、造影剤の使用等）、１回の検査で複数の医用画像を取得したときのシリーズ番号あるいは採取番号等の情報が含まれうる。
【００２７】
また、画像サーバ４は、読影ＷＳ３からの閲覧要求をネットワーク６経由で受信すると、画像データベース５に登録されている医用画像を検索し、抽出された医用画像を要求元の読影ＷＳ３に送信する。
【００２８】
ネットワーク６は、病院内の各種機器を接続する有線または無線のローカルエリアネットワークである。読影医用ワークステーション３が他の病院あるいは診療所に設置されている場合には、ネットワーク６は、各病院のローカルエリアネットワーク同士をインターネットまたは専用回線で接続した構成としてもよい。いずれの場合にも、ネットワーク６は光ネットワーク等の医用画像の高速転送が実現可能な構成にすることが好ましい。
【００２９】
以下、本実施形態による画像解析装置である画像解析ＷＳ１０について詳細に説明する。画像解析ＷＳ１０は、１台のコンピュータに、本実施形態の解析機能決定プログラムをインストールしたものである。コンピュータは、診断を行う医師又は読影医が直接操作するワークステーションまたはパーソナルコンピュータでもよいし、それらとネットワークを介して接続されたサーバコンピュータでもよい。解析機能決定プログラムは、ＤＶＤあるいはＣＤ−ＲＯＭ等の記録媒体に記録されて配布され、その記録媒体からコンピュータにインストールされる。または、ネットワークに接続されたサーバコンピュータの記憶装置、もしくはネットワークストレージに、外部からアクセス可能な状態で記憶され、要求に応じてコンピュータにダウンロードされ、インストールされる。
【００３０】
図２は、コンピュータに解析機能決定プログラムをインストールすることにより実現される、本開示の技術に係る第１の実施形態による画像解析ＷＳ（画像解析装置）１０の概略構成を示す図である。図２に示すように、画像解析ＷＳ１０は、標準的なワークステーションの構成として、ＣＰＵ（Central Processing Unit）１１、メモリ１２、及びストレージ１３を備えている。また、画像解析ＷＳ１０には、高精細な液晶ディスプレイ等のディスプレイ１４、並びにキーボード及びマウス等の入力部１５が接続されている。
【００３１】
ストレージ１３は、ハードディスクまたはＳＳＤ（Solid State Drive）等のストレージデバイスからなる。ストレージ１３には、ネットワーク６を経由して取得した医用画像及び処理に必要な情報を含む各種情報が記憶されている。
【００３２】
また、メモリ１２には、解析機能決定プログラムが記憶されている。解析機能決定プログラムは、ＣＰＵ１１に実行させる処理として、入力された画像データに対して予め設定された解析機能による解析を行う解析処理と、外部から起動要求を受けた場合に、予め設定された解析機能による解析結果及び予め設定された条件に基づいて、複数の解析機能の中から起動対象となる解析機能を決定し、決定した解析機能を起動する制御を行う制御処理とを規定する。ＣＰＵ１１がプログラムに従いこれらの処理を実行することで、コンピュータは、解析部２１及び制御部２２として機能する。
【００３３】
なお、本実施形態においては、ＣＰＵ１１が解析機能決定プログラムによって、各部の機能を実行するようにしたが、ソフトウェアを実行して各種の処理部として機能する汎用的なプロセッサとしては、ＣＰＵ１１の他、ＦＰＧＡ (Field Programmable Gate Array)等の製造後に回路構成を変更可能なプロセッサであるプログラマブルロジックデバイス（Programmable Logic Device:ＰＬＤ）を用いることができる。また、ＡＳＩＣ（Application Specific Integrated Circuit）等の特定の処理を実行させるために専用に設計された回路構成を有するプロセッサである専用電気回路等により、各部の処理を実行するようにしてもよい。
【００３４】
１つの処理部は、これら各種のプロセッサのうちの１つで構成されてもよいし、同種または異種の２つ以上のプロセッサの組み合せ（例えば、複数のＦＰＧＡ、またはＣＰＵとＦＰＧＡの組み合わせ等）で構成されてもよい。また、複数の処理部を１つのプロセッサで構成してもよい。複数の処理部を１つのプロセッサで構成する例としては、第１に、クライアントやサーバ等のコンピュータに代表されるように、１つ以上のＣＰＵとソフトウェアの組み合わせで１つのプロセッサを構成し、このプロセッサが複数の処理部として機能する形態がある。第２に、システムオンチップ（System On Chip:ＳｏＣ）などに代表されるように、複数の処理部を含むシステム全体の機能を１つのＩＣ（Integrated Circuit）チップで実現するプロセッサを使用する形態がある。このように、各種の処理部は、ハードウェア的な構造として、上記各種のプロセッサを１つ以上を用いて構成される。
【００３５】
さらに、これらの各種のプロセッサのハードウェア的な構造は、より具体的には、半導体素子等の回路素子を組み合わせた電気回路（circuitry）である。
【００３６】
次いで、本実施形態において行われる処理について説明する。図３は第１の実施形態において行われる処理を示すフローチャートである。
【００３７】
医用画像の読影医が、読影ＷＳ３において医用画像を閲覧しようとすると、読影ＷＳ３から画像サーバ４に対する医用画像の閲覧要求が送信され、画像サーバ４からＤＩＣＯＭ形式の医用画像データを受信する。このとき、読影ＷＳ３は受信した医用画像データを画像解析ＷＳ１０に転送する。画像解析ＷＳ１０は、読影ＷＳ３から医用画像データを受信する（ステップＳＴ１）。
【００３８】
画像解析ＷＳ１０の解析部２１は、ＤＩＣＯＭ形式の医用画像データの画像ヘッダー情報に基づいて、予め設定された解析機能による解析を行い（ステップＳＴ２）、解析結果をストレージ１３に保存する（ステップＳＴ３）。
【００３９】
例えば、医用画像が心臓ＣＴ画像である場合、撮影を行ったモダリティ２の種類、シリーズ説明、及びスライス枚数等の情報に基づいて、受信した医用画像が心臓ＣＴ画像であることが自動判別可能である。心臓ＣＴ画像の場合、冠動脈解析、心機能解析、及び石灰化スコアといった心臓系解析機能が自動実行されて、各々の解析結果を示す画像の画像データがストレージ１３に保存される。また、各々の解析機能により算出された解析値（冠動脈解析であれば狭窄率及びプラーク量、心機能解析であればＥＦ（左室駆出率：Ejection Fraction）及び一回拍出量、石灰化スコアであればスコア値）のデータがストレージ１３に保存される。
【００４０】
読影ＷＳ３における医用画像の表示時において、読影ＷＳ３のディスプレイ上には、医用画像とともに、各種ＵＩ（User Interface）が表示される。このときの画像表示例を一例として図４に示す。図４に示すように、全体画面３０内には、大きく分けて左側画像表示領域４０及び右側画像表示領域５０の２種類の画像表示領域がある。
【００４１】
左側画像表示領域４０は、画像表示領域４１及び解析機能ボタン表示枠４２を備える。解析機能ボタン表示枠４２内には、画像表示領域４１に表示されている医用画像に対して実行可能な解析機能を実行させるための解析機能ボタンが表示される。ここでは、一例として、画像表示領域４１に心臓ＣＴ画像が表示され、解析機能ボタン表示枠４２内に、心臓ＣＴ画像に対して実行可能な３種類の解析機能（冠動脈解析、心機能解析、及び石灰化スコア）を実行させるための、３つの解析機能ボタン（冠動脈解析ボタン４３、心機能解析４４、及び石灰化スコアボタン４５）が表示された例を示す。
【００４２】
同様に、右側画像表示領域５０は、画像表示領域５１及び解析機能ボタン表示枠５２を備える。解析機能ボタン表示枠５２内には、画像表示領域５１に表示されている医用画像に対して実行可能な解析機能を実行させるための解析機能ボタンが表示される。ここでは、一例として、解析機能ボタン表示枠５２内に、１つの解析機能ボタン５３が表示された例を示す。
【００４３】
また、読影ＷＳ３は、上記画像表示を行った後、解析機能のスタンバイ起動要求を画像解析ＷＳ１０に送信する。画像解析ＷＳ１０の制御部２２は、読影ＷＳ３からスタンバイ起動要求を受信する（ステップＳＴ４）と、ステップＳＴ２における解析結果及び予め設定された条件に基づいて、複数の解析機能の中から起動対象となる解析機能を決定し（ステップＳＴ５）、決定した解析機能をバックグラウンドで起動させる（ステップＳＴ６）。
【００４４】
ここでバックグラウンドの起動とは、画像解析ＷＳ（画像解析装置）１０において解析機能を司るソフトウェアが起動し、かつ、読影ＷＳ３に該当の解析機能の画面表示を行っていない状態を意味する。また、ステップＳＴ５において、起動対象となる解析機能を決定するための、予め設定された条件とは、過去の画像解析ＷＳ１０の起動時において、医用画像に対してユーザー（読影医）が本当に必要とした解析機能の情報に基づく学習データに基づいて設定された条件を意味する。例えば、心臓ＣＴ検査を行った場合、冠動脈解析、心機能解析、石灰化スコアが実行されることを想定しているが、腹部検査も必要とされて脂肪解析が実行される場合がある。このような場合に、画像ヘッダー情報と実際に必要とした解析機能の組み合わせデータを蓄積して、この組み合わせデータを用いて学習を行うことにより、画像ヘッダー情報に対して必要な解析機能の決定を高精度に行うことができる。
【００４５】
ステップＳＴ６において、例えば、医用画像が心臓ＣＴ画像であり、狭窄率が低く、ＥＦが低い場合は、これらの解析状態の詳細を観察することが想定されるため、冠動脈解析及び心機能解析をバックグラウンドで起動しておく。
【００４６】
このとき、読影ＷＳ３のディスプレイ上には、図５に示すように、スタンバイ起動した解析機能に対応する解析機能ボタンの表示色が、スタンバイ起動状態に合わせて異なる色で表示される。ここでは、スタンバイ起動前の解析機能ボタンを白色表示、スタンバイ起動中の解析機能ボタンを灰色表示（図中ハッチング表示）、スタンバイ起動済みの解析機能ボタンを黒色表示とする。
【００４７】
例えば、左側画像表示領域４０の画像表示領域４１に心臓ＣＴ画像が表示され、解析機能ボタン表示枠４２内に、心臓ＣＴ画像に対して実行可能な３種類の解析機能（冠動脈解析、心機能解析、及び石灰化スコア）を実行させるための、３つの解析機能ボタン（冠動脈解析ボタン４３、心機能解析４４、及び石灰化スコアボタン４５）が表示されている場合において、冠動脈解析及び心機能解析が起動対象として決定された場合、スタンバイ起動の状態に合わせて、スタンバイ起動済みの冠動脈解析に対応した冠動脈解析ボタン４３が黒色表示され、スタンバイ起動中の心機能解析に対応した心機能解析ボタン４４が灰色表示される。同様に、右側画像表示領域５０の解析機能ボタンについても、スタンバイ起動状態に合わせた表示色で表示される。
【００４８】
ここで、制御部２２は、バックグラウンド起動済みの解析機能に対し、画像データの解析処理をバックグラウンドで行わせてもよい。
【００４９】
読影ＷＳ３においてスタンバイ起動済みの解析機能ボタン（例えば、図５における冠動脈解析ボタン４３）が選択入力されると、選択された解析機能の本起動要求が、読影ＷＳ３から画像解析ＷＳ１０に送信される。このとき、本起動要求を示すデータの中に、起動する解析機能の識別情報が付帯される。
【００５０】
画像解析ＷＳ１０の制御部２２は、読影ＷＳ３から本起動要求を受信すると、本起動要求を示すデータ中の識別情報に基づいて、本起動要求された解析機能の本起動を行う（ステップＳＴ７）。ここで本起動とは、画像解析ＷＳ（画像解析装置）１０において解析機能を司るソフトウェアが起動し、かつ、読影ＷＳ３に該当の解析機能の画面表示が可能な状態を意味する。そして、本起動した解析機能の解析結果を読影ＷＳ３に送信する。
【００５１】
例えば、図５に示す画面状態において冠動脈解析ボタン４３が選択入力されると、制御部２２は、スタンバイ起動済みの解析機能の中から冠動脈解析を本起動し、冠動脈解析の結果を読影ＷＳ３に送信する。読影ＷＳ３は、冠動脈解析の結果を受信すると、図６に示すように、左側画像表示領域４０の画像表示領域４１に、冠動脈解析の結果を表示する。
【００５２】
このとき、制御部２２は、本起動した解析機能の解析結果がステップＳＴ２において取得済みであり、解析結果のデータがストレージ１３に保存されている場合には、新たに解析処理を行わず、保存されている解析結果を読影ＷＳ３に送信してもよい。
【００５３】
本実施形態の画像診断システムにおいては、入力された画像データに対して予め設定された解析機能による解析を行い、外部から起動要求を受けた場合に、予め設定された解析機能による解析結果及び予め設定された条件に基づいて、複数の解析機能の中から必要な解析機能のみを起動するようにしているため、画像解析ＷＳ１０の起動時負荷の低減及び起動時間の短縮を図ることができる。
【００５４】
以上、本開示の技術をその好適な実施形態に基づいて説明したが、本開示の画像解析装置は、上記実施形態にのみ限定されるものではなく、上記実施形態の構成から種々の修正および変更を施したものも、本開示の技術範囲に含まれる。さらに、本開示の技術は、プログラムに加えて、プログラムを非一時的に記憶する記憶媒体にもおよぶ。
【００５５】
２０１８年１１月２０日に出願された日本出願特願２０１８−２１７７５２の開示はその全体が参照により本明細書に取り込まれる。本明細書に記載された全ての文献、特許出願、及び技術規格は、個々の文献、特許出願、及び技術規格が参照により取り込まれることが具体的かつ個々に記された場合と同程度に、本明細書中に参照により取り込まれる。
【図１】
2020105645.tif 000003
【図２】
2020105645.tif 000004
【図３】
2020105645.tif 000005
【図４】
2020105645.tif 000006
【図５】
2020105645.tif 000007
【図６】
2020105645.tif 000008
【国際調査報告】
2020105645.tif 000009
2020105645.tif 000010
2020105645.tif 000011
2020105645.tif 000012